(57)【特許請求の範囲】
【請求項１】
ＣＡ（Ｃａｒｒｉｅｒ  Ａｇｇｒｅｇａｔｉｏｎ）を行うことができる周波数帯域の組み合わせ、及び、ＣＡを行うことができる該周波数帯域内のキャリアの帯域幅の組み合わせが規定されている移動通信システムにおいて用いられる移動局であって、
前記周波数帯域の組み合わせとして、第１周波数帯域及び第２周波数帯域の組み合わせが規定されており、複数の前記周波数帯域内のキャリアの帯域幅の組み合わせが規定されている場合で、かつ、前記移動局が、前記複数の周波数帯域内のキャリアの帯域幅の組み合わせの少なくとも１つに対応している場合には、
前記移動通信システムにおいて用いられる前記周波数帯域内のキャリアの帯域幅の組み合わせが、前記移動局が対応している前記周波数帯域内のキャリアの帯域幅の組み合わせでない場合にも、前記移動通信システムにおいて用いられる前記周波数帯域内のキャリアの帯域幅の組み合わせにおける該第１周波数帯域内のキャリア又は該第２周波数帯域内のキャリアのうちの主キャリアの全帯域幅において信号を受信するように構成されている受信部を具備することを特徴とする移動局。
【請求項２】
前記受信部は、前記主キャリアの全帯域幅において、ＰＤＣＣＨ（Ｐｈｙｓｉｃａｌ  Ｄｏｗｎｌｉｎｋ  Ｃｏｎｔｒｏｌ  Ｃｈａｎｎｅｌ）を介して、スケジューリング情報を含む制御情報を受信するように構成されていることを特徴とする請求項１に記載の移動局。
【請求項３】
前記受信部は、前記主キャリアの全帯域幅において、報知情報を受信するように構成されていることを特徴とする請求項１に記載の移動局。
【請求項４】
前記受信部は、前記主キャリアの全帯域幅において、ＰＤＳＣＨ（Ｐｈｙｓｉｃａｌ  Ｄｏｗｎｌｉｎｋ  Ｓｈａｒｅｄ  Ｃｈａｎｎｅｌ）を介して、下りデータを受信し、副キャリアにおいて、ＰＤＳＣＨを介して、該主キャリアの全帯域幅において受信できなかった下りデータを受信するように構成されていることを特徴とする請求項１に記載の移動局。
【発明の詳細な説明】
【技術分野】
【０００１】
本発明は、移動局に関する。
【背景技術】
【０００２】
３ＧＰＰで仕様化が進められているＬＴＥ（Ｌｏｎｇ  Ｔｅｒｍ  Ｅｖｏｌｕｔｉｏｎ）-Ａｄｖａｎｃｅｄ方式の移動通信システムでは、「ＣＡ（Ｃａｒｒｉｅｒ  Ａｇｇｒｅｇａｔｉｏｎ）」を行うことが検討されている。
【０００３】
ＬＴＥ-Ａｄｖａｎｃｅｄ方式の移動通信システムでは、移動局ＵＥは、１つの無線基地局ｅＮＢとの間で、異なる周波数帯域の複数の「Ｃｏｍｐｏｎｅｎｔ  Ｃａｒｒｉｅｒ（ＣＣ）」を同時に用いて、ＣＡを行うことができるように構成されている。
【０００４】
また、ＣＡが行われる場合、移動局ＵＥは、無線基地局からの指示に応じて、複数のＣＣの中から、１つをＰＣＣ（Ｐｒｉｍａｒｙ  Ｃｏｍｐｏｎｅｎｔ  Ｃａｒｒｅｒ）として設定し、その他をＳＣＣ（Ｓｅｃｏｎｄａｒｙ  Ｃｏｍｐｏｎｅｎｔ  Ｃａｒｒｅｒ）として設定するように構成されている。
【０００５】
また、ＬＴＥ-Ａｄｖａｎｃｅｄ方式では、ＣＡを行うことができる周波数帯域の組み合わせ（「Ｂａｎｄ  Ｃｏｍｂｉｎａｔｉｏｎ」）に加えて、かかる周波数帯域の組み合わせに対して、該当周波数帯域の組み合わせに含まれる１つ又は複数のＣＣの帯域幅の組み合わせ（「Ｓｕｐｐｏｒｔｅｄ  ＣＣ  Ｂａｎｄｗｉｄｔｈ  Ｃｏｍｂｉｎａｔｉｏｎｓ」）を規定することが提案されている（非特許文献１〜４参照）。
【先行技術文献】
【非特許文献】
【０００６】
【非特許文献１】３ＧＰＰ  ＴＳ３６.１０１
【非特許文献２】３ＧＰＰ  ＴＳ３６.３３１
【非特許文献３】３ＧＰＰ寄書  Ｒ４-１２０６３４
【非特許文献４】３ＧＰＰ寄書  Ｒ４-１２０６６７
【発明の概要】
【発明が解決しようとする課題】
【０００７】
しかしながら、非特許文献３及び４で示される方法では、既存のＬＴＥ-Ａｄｖａｎｃｅｄ方式では、移動局ＵＥは、自身が対応する「Ｂａｎｄ  Ｃｏｍｂｉｎａｔｉｏｎ」において、自身が対応する「Ｓｕｐｐｏｒｔｅｄ  ＣＣ  Ｂａｎｄｗｉｄｔｈ  Ｃｏｍｂｉｎａｔｉｏｎｓ」に含まれる帯域幅よりも大きい帯域幅のＣＣで運用された場合には、ＣＡを行うことができないという問題点があった。
【０００８】
特に、ＬＴＥ-Ａｄｖａｎｃｅｄ方式の移動通信システムにおいて、特定の周波数帯域において、移動局ＵＥは、対象としないＣＣの帯域幅の組み合わせにて運用が行われていた場合に、かかる特定の周波数帯域内のＣＣを用いてＣＡを行うことができていたにも関わらず、かかる拡張の後には、かかる特定の周波数帯域内のＣＣを用いてＣＡを行うことができなくなってしまうという問題点があった。
【０００９】
かかる場合、具体的には、移動局ＵＥは、対象としないＣＣの帯域幅の組み合わせで運用が行われていた場合に、かかる特定の周波数帯域において、ＰＤＳＣＨ（Ｐｈｙｉｓｃａｌ  Ｄｏｗｎｌｉｎｋ  Ｓｈａｒｅｄ  Ｃｈａｎｎｅｌ、物理下りリンク共有チャネル）を介して送信された下りデータを受信することができなくなってしまう可能性があった。
【００１０】
そこで、本発明は、上述の課題に鑑みてなされたものであり、特定の周波数帯域においてＣＡが運用されている場合に、該当周波数帯域の組み合わせに含まれるＣＣの帯域幅の組み合わせとして、対象としていないＣＣの帯域幅の組み合わせにて運用が行われていたとしても、かかる特定周波数帯域において、ＣＡを行っている状態においてＰＤＳＣＨを介して送信された下りデータ信号を適切に受信することができる移動局を提供することを目的とする。
【課題を解決するための手段】
【００１１】
本発明の第１の特徴は、ＣＡを行うことができる周波数帯域の組み合わせ、及び、ＣＡを行うことができる該周波数帯域内のキャリアの帯域幅の組み合わせが規定されている移動通信システムにおいて用いられる移動局であって、前記周波数帯域の組み合わせとして、第１周波数帯域及び第２周波数帯域の組み合わせが規定されており、複数の前記周波数帯域内のキャリアの帯域幅の組み合わせが規定されている場合で、かつ、前記移動局が、前記複数の周波数帯域内のキャリアの帯域幅の組み合わせの少なくとも１つに対応している場合には、無線基地局に対して、該移動局が対応している該周波数帯域内のキャリアの帯域幅の組み合わせではなく、該移動局において所定期間内に処理可能な最大データ量を通知するように構成されている送信部を具備することを要旨とする。
【００１２】
本発明の第２の特徴は、ＣＡを行うことができる周波数帯域の組み合わせ、及び、ＣＡを行うことができる該周波数帯域内のキャリアの帯域幅の組み合わせが規定されている移動通信システムにおいて用いられる移動局であって、前記周波数帯域の組み合わせとして、第１周波数帯域及び第２周波数帯域の組み合わせが規定されており、複数の前記周波数帯域内のキャリアの帯域幅の組み合わせが規定されている場合で、かつ、前記移動局が、前記複数の周波数帯域内のキャリアの帯域幅の組み合わせの少なくとも１つに対応している場合には、該第１周波数帯域内のキャリア又は該第２周波数帯域内のキャリアのうちの主キャリアの全帯域幅において信号を受信するように構成されている受信部を具備することを要旨とする。
【発明の効果】
【００１３】
以上説明したように、本発明によれば、特定の周波数帯域においてＣＡが運用されている場合に、該当周波数帯域の組み合わせに含まれるＣＣの帯域幅の組み合わせとして、対象としていないＣＣの帯域幅の組み合わせにて運用が行われていたとしても、かかる特定周波数帯域において、ＣＡを行っている状態においてＰＤＳＣＨを介して送信された下りデータ信号を適切に受信することができる移動局を提供することができる。
【図面の簡単な説明】
【００１４】
【図１】本発明の第１の実施形態に係る移動通信システムの全体構成図である。
【図２】本発明の第１の実施形態に係る移動局の機能ブロック図である。
【図３】本発明の第１の実施形態に係る移動通信システムで実現可能なＣＡの組み合わせの一例について説明するための図である。
【図４】本発明の第１の実施形態に係る移動局の受信部の機能について説明するための図である。
【図５】本発明の第１の実施形態に係る無線基地局の機能ブロック図である。
【図６】本発明の第１の実施形態に係る移動局の動作を説明するための図である。
【発明を実施するための形態】
【００１５】
（本発明の第１の実施形態に係る移動通信システム）
図１乃至図６を参照して、本発明の第１の実施形態に係る移動通信システムについて説明する。本実施形態に係る移動通信システムは、ＬＴＥ-Ａｄｖａｎｃｅｄ方式の移動通信システムである。
【００１６】
なお、本実施形態に係る移動通信システムにおいて、移動局ＵＥは、無線基地局ｅＮＢとの間で、周波数帯域Ｆ１のＣＣ及び周波数帯域Ｆ２のＣＣを同時に用いて、信号の送受信を行うことができるように構成されている、すなわち、ＣＡを行うことができるように構成されている。
【００１７】
図１に示すように、本実施形態に係る移動通信システムでは、移動局ＵＥに対して、周波数帯域Ｆ１のＣＣが「ＰＣＣ」として設定され、周波数帯域Ｆ２のＣＣが「ＳＣＣ」として設定されているものとする。
【００１８】
図２に示すように、移動局ＵＥは、管理部１１と、送信部１２と、受信部とを具備している。
【００１９】
管理部１１は、ＣＡを行うことができる周波数帯域の組み合わせ（図３に示す「Ｅ-ＵＴＲＡ  Ｂａｎｄ  Ｃｏｍｂｉｎａｔｉｏｎ」）のうち、移動局ＵＥが対応する周波数帯域の組み合わせを管理するように構成されている。
【００２０】
また、管理部１１は、移動局ＵＥが対応する周波数帯域の組み合わせにおいて、ＣＡを行うことができる周波数帯域内のＣＣの帯域幅の組み合わせ（図３に示す「Ｓｕｐｐｏｒｔｅｄ  ＣＣ  Ｂａｎｄｗｉｄｔｈ  Ｃｏｍｂｉｎａｔｉｏｎｓ」）のうち、移動局ＵＥが対応する帯域幅の組み合わせを管理するように構成されている。
【００２１】
例えば、本実施形態に係る移動通信システムでは、図３に示すように、「Ｅ-ＵＴＲＡ  Ｂａｎｄ  Ｃｏｍｂｉｎａｔｉｏｎ」及び「Ｓｕｐｐｏｒｔｅｄ  ＣＣ  Ｂａｎｄｗｉｄｔｈ  Ｃｏｍｂｉｎａｔｉｏｎｓ」が規定されていてもよい。
【００２２】
図３に示すように、本実施形態に係る移動通信システムにおいて、１つの「Ｅ-ＵＴＲＡ  Ｂａｎｄ  Ｃｏｍｂｉｎａｔｉｏｎ」に対して、複数の「Ｓｕｐｐｏｒｔｅｄ  ＣＣ  Ｂａｎｄｗｉｄｔｈ  Ｃｏｍｂｉｎａｔｉｏｎｓ」を規定することができる。
【００２３】
ここで、管理部１１は、移動局ＵＥが対応する「Ｅ-ＵＴＲＡ  Ｂａｎｄ  Ｃｏｍｂｉｎａｔｉｏｎ」として、「Ｅ-ＵＴＲＡ  Ｂａｎｄ＃５」及び「Ｅ-ＵＴＲＡ  Ｂａｎｄ＃１」の組み合わせ（図３に示す「５，１」）について管理するように構成されていてもよい。
【００２４】
また、管理部１１は、下りリンクにおいて移動局ＵＥが対応する「Ｓｕｐｐｏｒｔｅｄ  ＣＣ  Ｂａｎｄｗｉｄｔｈ  Ｃｏｍｂｉｎａｔｉｏｎｓ」として、「Ｅ-ＵＴＲＡ  Ｂａｎｄ＃５」内の「１０ＭＨｚ」及び「Ｅ-ＵＴＲＡ  Ｂａｎｄ＃１」内の「１０ＭＨｚ」の組み合わせ（図３に示す「ＤＬ：１０＋１０」）について管理するように構成されていてもよい。
【００２５】
また、管理部１１は、上りリンクにおいて移動局ＵＥが対応する「Ｓｕｐｐｏｒｔｅｄ  ＣＣ  Ｂａｎｄｗｉｄｔｈ  Ｃｏｍｂｉｎａｔｉｏｎｓ」として、下りリンクと同様の組み合わせを管理するように構成されていてもよい。
【００２６】
送信部１２は、移動局ＵＥが通信中の無線基地局ｅＮＢに対して、各種信号を送信するように構成されている。
【００２７】
例えば、移動局ＵＥが、本実施形態に係る移動通信システムにおいて規定されている「Ｓｕｐｐｏｒｔｅｄ  ＣＣ  Ｂａｎｄｗｉｄｔｈ  Ｃｏｍｂｉｎａｔｉｏｎｓ」の少なくとも１つに対応している場合には、送信部１２は、無線基地局ｅＮＢに対して、移動局ＵＥが対応している「Ｓｕｐｐｏｒｔｅｄ  ＣＣ  Ｂａｎｄｗｉｄｔｈ  Ｃｏｍｂｉｎａｔｉｏｎｓ」ではなく、移動局ＵＥにおいて所定期間内に処理可能な最大データ量を通知するように構成されている。
【００２８】
ここで、かかる所定期間は、所定数（例えば、１つ）のサブフレームであってもよいし、所定数の（例えば、１つ）のＴＴＩ（Ｔｒａｎｓｍｉｓｓｉｏｎ  Ｔｉｍｅ  Ｉｎｔｅｒｖａｌ）であってもよい。
【００２９】
また、送信部１２は、上述の最大データ量として、リソースブロック数を通知するように構成されていてもよい。
【００３０】
例えば、送信部１２は、かかる最大データ量について、「ＵＥ  Ｃａｐａｂｉｌｉｔｙ（能力情報）」内の所定ビットによって通知するように構成されていてもよい。
【００３１】
受信部１３は、移動局ＵＥが通信中の無線基地局ｅＮＢから、各種信号を受信するように構成されている。
【００３２】
例えば、受信部１３は、かかる無線基地局ｅＮＢから、スケジューリング情報を含む制御情報や、報知情報や、下りデータ等を受信するように構成されている。
【００３３】
ここで、受信部１２は、本実施形態に係る移動通信システムにおいて規定されている「Ｓｕｐｐｏｒｔｅｄ  ＣＣ  Ｂａｎｄｗｉｄｔｈ  Ｃｏｍｂｉｎａｔｉｏｎｓ」の少なくとも１つに対応している場合には、「Ｅ-ＵＴＲＡ  Ｂａｎｄ＃５」或いは「Ｅ-ＵＴＲＡ  Ｂａｎｄ＃１」内のうちのＰＣＣの全帯域幅において信号を受信するように構成されている。
【００３４】
例えば、図４（ａ）に示すように、移動局ＵＥが、下りリンクにおいて、「Ｓｕｐｐｏｒｔｅｄ  ＣＣ  Ｂａｎｄｗｉｄｔｈ  Ｃｏｍｂｉｎａｔｉｏｎｓ」として、「Ｅ-ＵＴＲＡ  Ｂａｎｄ＃５」内の「１０ＭＨｚ」及び「Ｅ-ＵＴＲＡ  Ｂａｎｄ＃１」内の「１０ＭＨｚ」の組み合わせに対応している場合であっても、本実施形態に係る移動通信システムにおいて、移動局ＵＥに対する「ＰＣＣ」として「Ｅ-ＵＴＲＡ  Ｂａｎｄ＃１」内のＣＣが設定されており、「Ｅ-ＵＴＲＡ  Ｂａｎｄ＃５」内において「１０ＭＨｚ」の帯域幅のＣＣが用いられ、かつ、「Ｅ-ＵＴＲＡ  Ｂａｎｄ＃１」内において「２０ＭＨｚ」の帯域幅のＣＣが用いられている場合には、図４（ｂ）に示すように、受信部１３は、ＰＣＣが設定されている「Ｅ-ＵＴＲＡ  Ｂａｎｄ＃１」内のＣＣの「２０ＭＨｚ」の全帯域幅において信号を受信するように構成されている。
【００３５】
具体的には、受信部１３は、ＰＣＣの全帯域幅において、ＰＤＣＣＨを介して、スケジューリング情報を含む制御情報を受信するように構成されていてもよい。
【００３６】
また、受信部１３は、ＰＣＣの全帯域幅において、報知情報を受信するように構成されていてもよい。
【００３７】
さらに、受信部１３は、ＰＣＣ及びＳＣＣにおけるＰＤＳＣＨを介して通信を行う際に、ＰＣＣで送信される下りデータサイズ及びＳＣＣで送信される下りデータサイズの合計を、該当移動局ＵＥにおいて受信可能な最大データサイズとして、ＰＤＳＣＨを介して下りデータを受信するように構成されていてもよい。
【００３８】
例えば、本実施形態に係る移動通信システムにおいて、移動局ＵＥに対する「ＰＣＣ」として「Ｅ-ＵＴＲＡ  Ｂａｎｄ＃５」内のＣＣが設定されており、「ＳＣＣ」として「Ｅ-ＵＴＲＡ  Ｂａｎｄ＃１」内のＣＣが設定されている場合について考える。
【００３９】
また、「Ｅ-ＵＴＲＡ  Ｂａｎｄ＃５」内において「１０ＭＨｚ」の帯域幅のＣＣが用いられており、かつ、「Ｅ-ＵＴＲＡ  Ｂａｎｄ＃１」内において「２０ＭＨｚ」の帯域幅のＣＣが用いられている場合について想定する。
【００４０】
かかる場合、「２０ＭＨｚ」の帯域幅まで対応可能な移動局ＵＥの受信部１３は、「Ｅ-ＵＴＲＡ  Ｂａｎｄ＃１」内のＣＣ（ＳＣＣ）上でＰＤＳＣＨを介して下りデータを受信可能である。
【００４１】
かかる移動局ＵＥは、合計２０ＭＨｚ幅までを受信可能であるため、仮に「Ｅ-ＵＴＲＡ  Ｂａｎｄ＃５」において「５ＭＨｚ」のＰＤＳＣＨリソースが割り当てられていた場合、かかる移動局ＵＥは「Ｅ-ＵＴＲＡ  Ｂａｎｄ＃１」内のＣＣ（ＳＣＣ）上で、ＰＤＳＣＨを介して「１５ＭＨｚ」の帯域幅の下りデータを受信するように構成されている。
【００４２】
図５に示すように、無線基地局ｅＮＢは、受信部２１と、スケジューリング部２２と、送信部２３とを具備している。
【００４３】
受信部２１は、無線基地局ｅＮＢと通信中の移動局ＵＥから、各種信号を受信するように構成されている。
【００４４】
例えば、受信部２１は、かかる移動局ＵＥから、上述の「ＵＥ  Ｃａｐａｂｉｌｉｔｙ」等を受信するように構成されている。
【００４５】
スケジューリング部２２は、かかる移動局ＵＥに対するスケジューリング処理を行うように構成されている。
【００４６】
例えば、スケジューリング部２２は、移動局ＵＥから取得した上述の最大データ量（例えば、リソースブロック数）に基づいて、かかる移動局ＵＥに対するスケジューリング処理を行うように構成されていてもよい。
【００４７】
かかる場合、スケジューリング部２２は、移動局ＵＥのＰＣＣにおいて、移動局ＵＥが対応する帯域幅までの下りデータを送信するリソースを割り当て、移動局ＵＥのＳＣＣにおいて、残りの下りデータを送信するリソースを割り当てるように構成されていてもよい。
【００４８】
或いは、スケジューリング部２２は、移動局ＵＥの「ＵＥ  Ｃａｔｅｇｏｒｙ」に基づいて決定した最大伝送速度及び送信に用いるＭＣＳ（Ｍｏｄｕｌａｔｉｏｎ  ａｎｄ  Ｃｏｄｉｎｇ  Ｓｃｈｅｍｅ）に基づいて、かかる移動局ＵＥが受信可能なＣＣの帯域幅を算出し、かかる帯域幅に基づいて、スケジューリング処理を行うように構成されていてもよい。
【００４９】
例えば、スケジューリング部２２は、合計が最大で２０ＭＨｚ幅となるように割り当てるとしてもよい。
【００５０】
送信部２３は、無線基地局ｅＮＢと通信中の移動局ＵＥに対して、各種信号を送信するように構成されている。
【００５１】
例えば、送信部２３は、かかる移動局ＵＥに対して、移動局ＵＥのＰＣＣ上で、ＰＤＣＣＨを介して、Ｐｃｅｌｌ（ＰＣＣのサービングセル）及びＳｃｅｌｌ（ＳＣＣのサービングセル）における下りデータのスケジューリング情報を送信するように構成されていてもよい。
【００５２】
かかる構成によれば、「Ｃｒｏｓｓ-Ｃａｒｒｉｅｒ  Ｓｃｈｅｄｕｌｉｎｇ」を実現することができる。
【００５３】
また、送信部２３は、かかる移動局ＵＥに対して、移動局ＵＥのＰＣＣ上で、Ｐｃｅｌｌにおける報知情報（ＭＩＢ（Ｍａｓｔｅｒ  Ｉｎｆｏｒｍａｔｉｏｎ  Ｂｌｏｃｋ）やＳＩＢ（Ｓｙｓｔｅｍ  Ｉｎｆｏｒｍａｔｉｏｎ  Ｂｌｏｃｋ）等）を送信するように構成されていてもよい。
【００５４】
なお、送信部２３は、かかる移動局ＵＥに対して、個別シグナリングによって、Ｓｃｅｌｌにおける報知情報を送信するように構成されていてもよい。
【００５５】
また、送信部２３は、かかる移動局ＵＥに対して、移動局ＵＥのＰＣＣ及びＳＣＣ上で、上述のスケジューリング処理の結果に基づいて、ＰＤＳＣＨを介して、下りデータを送信するように構成されていてもよい。
【００５６】
以下、図６を参照して、本実施形態に係る移動局ＵＥの動作例について説明する。
【００５７】
図６に示すように、ステップＳ１０１において、移動局ＵＥは、移動局ＵＥのＰＣＣとして設定されているＣＣの全帯域幅において、上述の制御情報及び報知情報を受信する。
【００５８】
ステップＳ１０２において、移動局ＵＥは、かかる制御情報及び報知情報に基づいて、ＰＣＣ又はＳＣＣ上で、ＰＤＳＣＨを介して、下りデータを受信する。
【００５９】
本発明の第１の実施形態に係る移動通信システムによれば、移動局ＵＥは、特定の周波数帯域においてＣＡを行うことができるＣＣの帯域幅が拡張された場合であっても、無線基地局ｅＮＢに対して、移動局ＵＥにおいて所定期間中に処理可能な最大データ量を通知することによって、適切なスケジューリング処理を行うことを促すことができるため、かかる特定の周波数帯域においてＰＤＳＣＨを介して送信された下りデータを適切に受信することができる。
【００６０】
また、本発明の第１の実施形態に係る移動通信システムによれば、移動局ＵＥは、自身が対応する「Ｂａｎｄ  Ｃｏｍｂｉｎａｔｉｏｎ」において、自身が対応する「Ｓｕｐｐｏｒｔｅｄ  ＣＣ  Ｂａｎｄｗｉｄｔｈ  Ｃｏｍｂｉｎａｔｉｏｎｓ」に含まれるＣＣの帯域幅よりも大きい帯域幅のＣＣで運用された場合であっても、ＰＣＣの全帯域幅について受信するように構成されているため、ＰＣＣにおいて制御情報や報知情報を受信することができ、適切にＣＡを行うことができる。
【００６１】
以上に述べた本実施形態の特徴は、以下のように表現されていてもよい。
【００６２】
本実施形態の第１の特徴は、ＣＡを行うことができる周波数帯域の組み合わせ（Ｅ-ＵＴＲＡ  Ｂａｎｄ  Ｃｏｍｂｉｎａｔｉｏｎ）、及び、ＣＡを行うことができる周波数帯域内のＣＣの帯域幅の組み合わせ（Ｓｕｐｐｏｒｔｅｄ  ＣＣ  Ｂａｎｄｗｉｄｔｈ  Ｃｏｍｂｉｎａｔｉｏｎｓ）が規定されている移動通信システムにおいて用いられる移動局ＵＥであって、かかる周波数帯域の組み合わせとして、第１周波数帯域（例えば、Ｅ-ＵＴＲＡ  Ｂａｎｄ＃５）及び第２周波数帯域（例えば、Ｅ-ＵＴＲＡ  Ｂａｎｄ＃１）の組み合わせが規定されており、複数の周波数帯域内のＣＣの帯域幅の組み合わせが規定されている場合で、かつ、移動局ＵＥが、かかる複数の周波数帯域内のＣＣの帯域幅の組み合わせの少なくとも１つに対応している場合には、無線基地局ｅＮＢに対して、移動局ＵＥが対応している周波数帯域内のＣＣの帯域幅の組み合わせではなく、移動局ＵＥにおいて所定期間内に処理可能な最大データ量を通知するように構成されている送信部１２を具備することを要旨とする。
【００６３】
本実施形態の第１の特徴において、送信部１２は、上述の最大データ量として、リソースブロック数を通知するように構成されていてもよい。
【００６４】
本実施形態の第２の特徴は、ＣＡを行うことができる周波数帯域の組み合わせ（Ｅ-ＵＴＲＡ  Ｂａｎｄ  Ｃｏｍｂｉｎａｔｉｏｎ）、及び、ＣＡを行うことができる周波数帯域内のＣＣの帯域幅の組み合わせ（Ｓｕｐｐｏｒｔｅｄ  ＣＣ  Ｂａｎｄｗｉｄｔｈ  Ｃｏｍｂｉｎａｔｉｏｎｓ）が規定されている移動通信システムにおいて用いられる移動局ＵＥであって、かかる周波数帯域の組み合わせとして、第１周波数帯域（例えば、Ｅ-ＵＴＲＡ  Ｂａｎｄ＃５）及び第２周波数帯域（例えば、Ｅ-ＵＴＲＡ  Ｂａｎｄ＃１）の組み合わせが規定されており、複数の周波数帯域内のＣＣの帯域幅の組み合わせが規定されている場合で、かつ、移動局ＵＥが、かかる複数の周波数帯域内のＣＣの帯域幅の組み合わせの少なくとも１つに対応している場合には、第１周波数帯域内のＣＣ又は該第２周波数帯域内のＣＣのうちのＰＣＣ（主キャリア）の全帯域幅において信号を受信するように構成されている受信部１３を具備することを要旨とする。
【００６５】
本実施形態の第２の特徴において、受信部１３は、ＰＣＣの全帯域幅において、ＰＤＣＣＨを介して、スケジューリング情報を含む制御情報を受信するように構成されていてもよい。
【００６６】
本実施形態の第２の特徴において、受信部１３は、ＰＣＣの全帯域幅において、報知情報を受信するように構成されていてもよい。
【００６７】
本実施形態の第２の特徴において、受信部１３は、ＰＣＣの全帯域幅において、ＰＤＳＣＨを介して、下りデータを受信し、ＳＣＣ（副キャリア）において、ＰＤＳＣＨを介して、ＰＣＣの全帯域幅において受信できなかった下りデータを受信するように構成されていてもよい。
【００６８】
なお、上述の移動局ＵＥ及び無線基地局ｅＮＢの動作は、ハードウェアによって実施されてもよいし、プロセッサによって実行されるソフトウェアモジュールによって実施されてもよいし、両者の組み合わせによって実施されてもよい。
【００６９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。
【００７１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７２】
ＵＥ…移動局
ｅＮＢ…無線基地局
１１…管理部
１２、２３…送信部
１３、２１…受信部
２２…スケジューリング部
【図１】
0005919035.tif 000002
【図２】
0005919035.tif 000003
【図３】
0005919035.tif 000004
【図４】
0005919035.tif 000005
【図５】
0005919035.tif 000006
【図６】
0005919035.tif 000007